(57)【特許請求の範囲】
【請求項１】
少なくとも増幅器と分配器とを有するテレビジョン用アンテナ分配システムを利用した無線電話システムであって、
前記分配器に接続された複数のアンテナ分配用の同軸ケーブルと、
前記同軸ケーブルに接続されたテレビジョン装置と、
前記同軸ケーブルにスプリッタを介して接続され、かつ電話の音声信号を電波信号に変換する変換装置と、
前記変換装置に接続された電話機を有し、
前記変換装置は、少なくとも、１つの送信機と、２つ以上の受信機と、前記電話機を接続するための制御部を有することを特徴とする無線電話システム。
【請求項２】
前記増幅器と分配器との間には、前記変換装置の電波信号が逆流してアンテナから放出することを防止するハイパスフィルタが設けられていることを特徴とする請求項１に記載の無線電話システム。
【請求項３】
前記複数の変換装置の内の一の変換装置から送信された電波信号は、前記スプリッタを介して前記分配器に入り他の変換装置に分配されることを特徴とする請求項１又は２に記載の無線電話システム。
【請求項４】
前記送信機に加えて通話中に他の電話機を呼び出すための呼出用送信機をさらに有することを特徴とする請求項１に記載の無線電話システム。
【請求項５】
前記２つ以上の受信機は、呼び出し用チャネルを有する第１の受信機と通話用の受信チャネルを有する第２の受信機を有し、
前記送信機は、専用の送信チャネルを有することを特徴とする請求項１に記載の無線電話システム。
【請求項６】
前記変換装置の各々は、前記第１の受信機にて呼び出しを受けるのを監視し、前記変換装置の各々は、各変換装置にそれぞれ割り当てられたトーンを有し、このトーンの周波数を判別することによりどの変換装置から呼び出しがあったか判別することを特徴とする請求項５に記載の無線電話システム。
【請求項７】
前記変換装置の各々は、前記専用の送信チャネルを受信することにより通信が成立し、受信すべき前記トーンを検知することにより電話の通話が成立することを特徴とする請求項６に記載の無線電話システム。
【請求項８】
前記トーンは低周波信号であることを特徴とする請求項６又は７に記載の無線電話システム。
【発明の詳細な説明】
【技術分野】
【０００１】
本発明は、無線電話システムに関し、特に、家庭用の内線電話システムに関する。
【背景技術】
【０００２】
従来は、内線電話システムを構築する場合、各電話機と交換装置を接続してシステムを構成する。また、一般家庭では、ケーブルの代わりにコードレス電話システム（１台の親機に複数の子機）を利用して無線にて内線電話を構成している。
【０００３】
各電話機と交換装置を接続してシステムを構成する場合、各電話機間は電話専用の回線を用意する必要があり、交換機は複雑な切り替え制御が必要となる。
【０００４】
また、コードレス電話システムを利用して無線にて内線電話を構成する場合、親機が子機を制御しており、また、許可された無線周波数は一般的に限られているため親機が無線チャネルの切り替え処理とチャネルの空き確認が必要で複雑になってしまう。
【０００５】
また、関連する技術として、特開平４−３６７１４８号公報（特許文献１）があるが、この方式では音声信号の有無でトーンを切り替えているので単一の話し手しか送信できないという問題がある。
【０００６】
このように、現状では、内線電話システムを構築する場合には、必要な回線分の電話回線を引くか無線電話を利用する。電話回線を引く場合、あとから引くことが難しい。一方、無線電話（例えば、コードレスホン）では使用できる周波数が限られているので同時に複数の子機同士で通話することが難しい。
【先行技術文献】
【特許文献】
【０００７】
【特許文献１】特開平４−３６７１４８号公報
【発明の概要】
【発明が解決しようとする課題】
【０００８】
本発明の目的は、上述した従来技術の課題を解決するための技術を提供することにあり、自由に周波数を選択できかつ安価に構成可能な無線電話システム及び無線機器システムを提供することにある。
【課題を解決するための手段】
【０００９】
本発明の一態様は、少なくとも増幅器と分配器とを有するテレビジョン用アンテナ分配システムを利用した無線電話システムであって、
前記分配器に接続された複数のアンテナ分配用の同軸ケーブルと、
前記同軸ケーブルに接続されたテレビジョン装置と、
前記同軸ケーブルにスプリッタを介して接続され、かつ電話の音声信号を電波信号に変換する変換装置と、
前記変換装置に接続された電話機を有することを特徴とする。
【００１０】
また、本発明の他の態様は、少なくとも分配器を有するテレビジョン用アンテナ分配システムを利用した無線機器システムであって、
前記分配器に接続された複数のアンテナ分配用の同軸ケーブルと、
前記同軸ケーブルに接続されたテレビジョン装置と、
前記同軸ケーブルにスプリッタを介して接続された変換装置と、
前記変換装置に接続された無線機器を有することを特徴とする。
【発明の効果】
【００１１】
本発明によれば、自由に周波数を選択でき、かつ微弱無線でよいので安価に無線電話システム及び無線機器システムを構成できる。
【図面の簡単な説明】
【００１２】
【図１】本発明の第１の実施の形態に係る一般家庭向け内線電話システムの構成を示す図である。
【図２】変換装置の詳細な構成を示す図である。
【図３】各変換装置の無線チャネルの状態を示す図である。
【図４】変換装置の動作を説明するための接続状態図である。
【図５】変換装置の動作を説明するための接続状態図である。
【図６】変換装置の動作を説明するための接続状態図である。
【図７】本発明の第２の実施の形態に係る変換装置の詳細な構成を示す図である。
【図８】変換装置の動作を説明するための接続状態図である。
【図９】本発明の第３の実施の形態に係る一般家庭向け無線機器システムの構成を示す図である。
【図１０】本発明の第２の実施の形態に係る無線ＬＡＮシステムの変換装置の詳細な構成を示す図である。
【発明を実施するための形態】
【００１３】
本発明の実施の形態について図面を参照して詳細に説明する。
【００１４】
（第１の実施の形態）
図１を参照して、本発明の第１の実施の形態に係る一般家庭向け内線電話システムの構成について説明する。
【００１５】
本発明の第１の実施の形態は、図１に示すように、一般家庭向けテレビジョンアンテナ分配システムを利用し、そこに変換装置を接続した一般家庭向け内線電話システムである。この一般家庭向け内線電話システムは、ＵＨＦテレビジョン／ＢＳ／ＣＳ衛星アンテナ６、混合器７、増幅器（ブースター、プリアンプ）８、ハイパスフィルタ９、分配器（１対ｎ分配器、例えば、１対６分配器）５、スプリッタ２（図１では計６個）、変換装置１（１−０〜１−５：変換装置０〜５）、テレビジョン装置（ＴＶ）７（７−０〜７−５）、電話機３（３−１〜３−５：電話機１〜５）を有する。
【００１６】
ここで、ハイパスフィルタ９は、ＦＭ帯〜ＢＳ／ＣＳを通し、７０ＭＨｚ以下を通さない。また、変換装置１の周波数（７０ＭＨｚ）を通さず、それ以上の周波数を通すフィルタとする。
【００１７】
また、分配器５は、例えば、１対６分配器であり、一般的にアンテナ６から入ってきた信号を分配するときのロスは、６分配の場合１０ｄＢ程度で分配側のチャネル間は１５ｄＢ程度である。例えば、変換装置１−１側から変換装置１−２側に通信する場合のロスは約１５ｄＢとなる仕様を使ってチャネル間の通信を行う。
【００１８】
また、壁内配線１１は、通常は目立たないように壁の中に配線している状態を想定している。
【００１９】
この一般家庭向け内線電話システムは、構造としては無線電話と同じ構造でありながら、アンテナには無線電話の電波を放射しないため、電波法に抵触しないシステムである。また、万一、同軸が解放されアンテナ６が接続されてしまった場合でも免許を必要としない微弱無線となるように、各々の変換装置１自体も微弱無線の出力レベルにしてある。また、同軸ケーブル１０で接続されているため、無線の場合にくらべ電波の減衰がすくなく、安定して通話ができる。
【００２０】
また、電話機３を増やす場合、テレビジョン装置７を視聴する環境にあればどこにも電話機３を増設できる特徴があり、容易に電話機３を増設可能である。
【００２１】
さらに、各電話機３毎に自由に周波数を割り当てられるので、すべての電話機３間で通話が可能である。
【００２２】
複数の電話機３間で通話（たとえば会議）を行う場合は、必要な回線分の受信機を追加することで対応する（図２  ２２−ｎ参照。合計３台の場合はｎ＝３。５台の場合はｎ＝５）。
【００２３】
本発明の第１の実施の形態は、テレビジョン用のアンテナ分配用の同軸ケーブル１０に電話の音声信号を電波信号に変換する変換装置１−０〜１−５を取り付ける。そのため、先に述べたように空中に電波を発しないため自由に周波数を使うことが可能で、この利点を利用し、変換装置１−０〜１−５に各々１つの送信チャネルを割り当てることで接続された電話機３同士で自由に双方向通話（複数の同時通話の電話会議を含む）を可能にする。
【００２４】
以下、図１を参照して、本発明の第１の実施の形態に係る一般家庭向け内線電話システムの構成についてさらに詳細に説明する。
【００２５】
図１に示すように、テレビジョンのアンテナ用同軸ケーブル１０のところにスプリッタ２を挿入し、そこに変換装置１−０〜１−５を接続する。そして、増幅器８と分配機５との間にハイパスフィルタ９を挿入する。
【００２６】
そして、一般公衆回線４に接続された１台の変換装置１−０（変換装置０）と、各電話機３（３−１〜３−５）が接続されたｎ台（図５では例として５台）の変換装置１−１〜１−５（変換装置１〜５）を有する。このように構成することにより、各テレビジョン装置（ＴＶ）７（７−０〜７−５）に接続した１同軸ケーブル１０でテレビジョン装置にも無線電話機にも使うことができる。
【００２７】
各ブロックの機能を説明すると、増幅器８の後段にハイパスフィルタ９を挿入しているが、これは各変換装置１がＦＭ／ＶＨＦ／ＵＨＦ／衛星放送よりも十分に低い周波数（たとえば５０ＭＨｚ帯）を使っており、この変換装置１の電波が逆流してアンテナ６から放出させないために挿入している。スプリッタ２は２分配する目的で挿入する。例えば、テレビジョン用周波数とそれ以下の電話用の周波数を分別するアダプタもしくは１：２の分配器である。
【００２８】
このような構成の下、各変換装置１から送信された電波はまず、スプリッタ２を通過し、さらに分配器５に入り他の接続先（他の変換装置１）に分配される。分配器５には通過ロスと端子間結合損失特性があり、本発明の実施の形態に係る内線電話システムでは、端子間結合損失特性を利用する。接続例の６分配で通過ロスが１０ｄＢ前後で、端子間結合損失は１５ｄＢの分配器を使用した場合、変換装置１−１（変換装置１）側から変換装置１−２（変換装置２）側に通信する場合は、１５ｄＢロスが発生する。そして、変換装置に接続された各々のスプリッタとケーブルロスの合計約１０ｄＢを足して約２５ｄＢ程度のロスが発生する。微弱無線のレベルは大体−４０ｄＢｍ程度の出力で、受信感度は−１００ｄＢｍ程度なので３５ｄＢ程度の余裕があり問題なく通信が可能となる。
【００２９】
次に、図２を参照して、各変換装置１−０〜１−５の複数の電話機３−１〜３−５との接続方法について説明する。
【００３０】
変換装置１は、１つの送信機２１と２個以上の受信機２２（２２−１〜２２−ｎ：受信機１、受信機２、受信機３〜ｎ）と複数の受信機２２に分配するためのプリアンプ２３、送信機２１と受信機２２を制御する送受信制御部２４、電話機３を制御する電話機制御部２５、電源部２６、停電時のバックアップ用充電池２７及び逆流防止ダイオード２９を有する。そして、変換装置１は、ＡＣアダプタ２８に接続されている。
【００３１】
次に、図３に各変換装置１の無線チャネルの状態を示す。
【００３２】
各変換装置１は重複しない呼び出し用の受信機１（図２の受信機２２−１）のチャネルと受信機２〜ｎ（図２の受信機２２−２〜２２−ｎ）で示す通話用の受信チャネルをもっている。同時通話に必要な数の受信機２２を必要に応じて接続して対応する。
【００３３】
図３に示すように、変換装置１ごとに呼び出しチャネルと送信専用チャネルを持っているため、呼び出し時以外で混信が発生せず、通話には影響を与えない。各々の機器は未使用の機器と通信をすればよく、効率良く通信が可能になる。また、閉じられた無線システムのため他の変換装置１からの混信は考えなくて良い（変換装置１はあらかじめ重複しない周波数で通信を行う）。
【００３４】
各変換装置１は常に受信機１にて呼び出しを受けるのを監視しており、各機器は自分を示す鍵（個別の低周波信号、以下、トーン（パイロット信号）という）を持っており、トーン周波数を判別することでどの変換装置１から呼び出しがあったか判別する。つまり、受信機１が受信するトーン周波数を判別することで、どの変換装置１から呼び出しがあったか判断する。トーン周波数はたとえば電話帯域を１５ＫＨｚとした場合、１５ＫＨｚより十分高い周波数（たとえば２０ＫＨｚ以上）とする。
【００３５】
例えば、変換装置０（図１の変換装置１−０）のトーン周波数を２０ＫＨｚ、変換装置１（図１の変換装置１−１）を２２ＫＨｚ、変換装置２（図１の変換装置１−２）を２４ＫＨｚで判別可能な周波数（２ＫＨｚ毎）ずらす。これにより各々の変換装置１が判別される。各々の変換装置１は、上述のように、専用の送信チャネルを持っているため、そのチャネルを受信すれば通信が成立し、そこに受信すべきトーンを検知すれば電話の通話が成立する。これにより、各変換装置１間で接続が行われ、複数の受信機２２があれば複数の変換装置１と通話ができ、その場合は通信が成立している変換装置１の分トーンが重複されている。
【００３６】
例えば、変換装置０（図１の変換装置１−０）が変換装置１（図１の変換装置１−１）と変換装置２（図１の変換装置１−２）と通信する場合は、変換装置１のトーン２２ＫＨｚと変換装置２のトーン２４ＫＨｚを載せる。また、変換装置１は変換装置０と変換装置２と通信するのでトーン２０ＫＨｚと２４ＫＨｚを載せる。これが電話会議も可能とする接続の基本である。
【００３７】
次に、図２に示す変換装置１の動作について、図３〜図６の接続状態図を使用して説明する。尚、以下の説明では、変換装置０〜５の状態を示しているが、未通信装置の状態は変化しないため、記載を省略し通信を行う装置のみ抜き出す。また、前の状態から変化があった箇所を太線で囲んで示す。
【００３８】
１）変換装置１の電話機が変換装置０の公衆電話回線に接続する場合（図４参照）
まず、図２に示す送信機２１及び各受信機２２は、すべての機器が待ち受け状態のため非通話状態とし、この場合、図３に示すようなチャネルで受信している（STEP1）。
【００３９】
変換装置１から変換装置０を呼び出す場合、図４を参照するとまず、STEP2で変換装置１は変換装置０の受信機１のCH7へトーン１を送信すると同時に、変換装置０が送信してくるCH1を受信する。
【００４０】
変換装置０はCH7で待ち受けしており、ここに変換装置１からトーン１が送信されるので、変換装置１から呼び出されたことがわかる。そこでSTEP3に進み、変換装置０はCH1からトーン１を送信し、同時に、変換装置１の送信器のCH2を受信する。
【００４１】
次に、STEP4に進み、変換装置１が変換装置０からのトーン１を検知するので、変換装置１の送信機CH2からトーン０を送信すると同時に、電話機をオンラインにして接続を完了する。
【００４２】
次に、STEP5へ進み、変換装置０は変換装置１からトーン０を受信するため、電話回線をオンラインにして接続を完了する。
【００４３】
２）変換装置１と変換装置０が通話中に変換装置５が電話会議に参加する場合（図５参照）
さらに、変換装置５が通話に加わる場合、図５を参照すると、STEP6の状態で変換装置５は変換装置１と通信したいので、CH2を受信することで変換装置１の状態がわかり、トーン０を検知するので変換装置０と通信中であることが判明する。
【００４４】
そこで、STEP7になり、変換装置１の呼び出しチャネルCH8へトーン５を送信し、同時に受信機３を変換装置０のCH1で受信する。
【００４５】
STEP8で、変換装置１は変換装置５からの呼び出しに応答し、送信機からトーン０に加えてトーン５を送信すると同時に受信機３で変換装置５の送信チャネルCH6を受信する。
【００４６】
次に、STEP9に進み、変換装置５は送信機をCH6に切り替えトーン０とトーン１を送信すると同時に、変換装置１の回線をオンラインにする。また、変換装置０は変換装置１と通信中で、トーン５を検知するので、変換装置５からの通信を検知するので受信機３をCH6に切り替え受信すると同時に送信機からトーン１と５を送信する。
【００４７】
次に、STEP10に進み、変換装置０は変換装置５からのトーン０の送信を確認し、変換装置５と回線をオンラインにする。同時に変換装置１は変換装置５からのトーン１を検知し、変換装置５と回線をオンラインにする。また、同時に変換装置５は変換装置０からのトーン０を確認し変換装置０と回線をオンラインにして変換装置０と１と５の電話会議が成立する。
【００４８】
この状態で、さらに変換装置２、変換装置３あるいは変換装置４からの要求が追加する場合は受信機が接続したいチャネル分あれば同じ方法で接続を増やすことができる。
【００４９】
３）回線を切断する場合（図６参照）
また、図６を参照すると、逆に通話を終了する場合は、たとえば変換装置０と変換装置１と変換装置５が通話中（STEP11）、変換装置１の通話を終了する場合、変換装置５は受話器が切られることを確認したらSTEP12に移り、送信器のCH6から送信されているトーン０と５を停止する。
【００５０】
次に、STEP13に進み、変換装置０と変換装置５はそれぞれ変換装置１のトーンがＯＦＦするので回線が切られたことを検知するので、それぞれ変換装置１との回線を切断すると同時に、変換装置１の受信を停止すると同時にトーン１の送信を停止する。
【００５１】
次に、STEP14に進み、変換装置１は変換装置０と変換装置５からトーン１がとまるのを確認して、送信機からの送信を停止する。こうすることで無線が停止するときのホワイトノイズの発生を防ぐと共に、変換装置０と変換装置５の通話は維持されている。
【００５２】
さらに、変換装置０か変換装置５の通信を終了する場合も同様でそれぞれの装置は相手のトーンを停止することで回線断をつたえて、回線が切断される。
【００５３】
このように、このシステムでは、あらかじめ必要な数の受信機を設けておけば複数の子機と同時に通信が可能になり、複雑な制御は不要で、ただ、受信されるトーン周波数を調べれば良い。
【００５４】
また、通話中でも待ち受けチャネルを時分割で切り替え、各送信チャネルをスキャンすることで通信中の機器を調べ、表示することもできる。
【００５５】
接続から切断までの流れを説明したが、これにより、内線通話システムが完成する。
【００５６】
上述のように、本発明の第１の実施の形態では、微弱無線にして周波数を自由に使えるようにした上で、電波のように簡単に外から受信されてしまわないようにテレビジョンのアンテナ分配システムを使う。
【００５７】
また、変換装置１自体の構成は複雑な回線接続の手順を減らし、トーン（鍵）をつかうことで自由に接続できるようにする。これにより、複雑な処理が不要になり、単にトーンの周波数を周波数分析すれば良い。
【００５８】
本発明の第１の実施の形態では、以下のような効果を有する。
【００５９】
第１の効果は、自由に周波数を選択できるし、微弱無線でよいので安価に構成できる点である。
【００６０】
第２の効果は、複雑な交換器の処理が不要で単純にトーン周波数のみ確認することで自由に複数の装置同士が通信できる点である。
【００６１】
例えば、変換装置０と変換装置１が通話しているときに変換装置２と変換装置３も通話できる。さらに、変換装置４と変換装置５も通話できるし、変換装置０と変換装置１と変換装置２の通話と変換装置３と変換装置４と変換装置５の通話が別々にできる。つまり、交換機不要で自分自身で交換機と同様の機能を実現できる。
【００６２】
第３の効果は、どのトーンが出ているか確認するだけでどの機器と通信しているかが明らかになる点である。
【００６３】
第４の効果は、トーンを接続に使用しているので複数の装置が通信しており、１つの装置の通信終了時のノイズの発生を最小限にすることができる点である。
【００６４】
トーンを使用しないと無線通信の切断を検知して終了とする必要があり、この場合一瞬“ザー”音（ホワイトノイズ）を出してしまう。上記実施の形態では、このような問題は発生しない。ただし、上記実施の形態でも、意図せずに通話中に物理的に同軸ケーブルを切断してしまうと、一種“ザー”音（ホワイトノイズ）を出してしまうが、通常の無線機と同様にスケルチにて最小限にする機能を入れておけば問題とはならない。
【００６５】
第５の効果は、一般家庭にあるテレビジョンのアンテナ分配システムに挿入するだけでシステムが構築される点である。
【００６６】
第６の効果は、アンテナ分配用の同軸ケーブルのシステムに挿入するため、他の同じ周波数を使っている無線機器への影響を与えない点である。
【００６７】
第７の効果は、微弱無線を使うため、テレビジョンの受信感度にあたえる影響を最小限にすることができる点である。
【００６８】
このような効果により、本発明の第１の実施の形態では、テレビジョン用のアンテナ分配用の同軸ケーブルに電話の音声信号を電波信号に変換する変換装置を接続し、同軸ケーブルを使うことで外部に電波を放出しない。このため、自由に周波数を使うことが可能になる。この特徴を利用して、変換装置に接続された電話機同士で自由に通話（複数の同時通話の電話会議を含む）を可能にしたシステムを提供できる。
【００６９】
（第２の実施の形態）
次に、本発明の第２の実施の形態について説明する。
【００７０】
上記第１の実施の形態だと、図２に示すように、送信機が１つしかないため、通話中の変換装置１から他の子機を呼び出して会議に参加させるには一旦回線を切断して接続し直すか、必ず未接続の変換装置１から通話中の変換装置１を呼ぶ必要がある。
【００７１】
この問題を解決するために、第２の実施の形態では、図７に示すようにもう１台の送信機７０（呼出用送信機２）を追加し、通話中に他の子機を呼び出す機能を追加した。もう１台の送信機７０を追加することによりさらに便利になり、自由に電話会議を行う機器を増やすことができる。その他の構成は、図２に示す構成と同様なのでその説明は省略する。
【００７２】
次に、図８を参照して、第２の実施の形態による接続方法について説明する。
【００７３】
まず、STEP５では、変換装置０と変換装置１が通信中で、その状態で変換装置１が変換装置２を参加させたい場合、STEP6-2で変換装置１は送信機２（呼出）をつかって変換装置２の待ち受けチャネル（CH9）に対してトーン１を送信すると同時に、変換装置１の送信機から送出しているトーン０に対してトーン２も加えて送信する。
【００７４】
そうすると、変換装置２が変換装置１の送信チャネル（CH2）を受信し、変換装置０とも通信中であることがわかる。
【００７５】
そのため、次のSTEP7-2にて変換装置２はトーン０と１を合わせて送信すると同時に変換装置０（CH1）と変換装置１（CH2）を受信し、まず、変換装置１とオンラインになる。
【００７６】
また、変換装置０は変換装置１からのトーン２が追加されたことがわかるため、
変換装置２の受信を開始する。
【００７７】
次に、STEP8-2にて、変換装置０はトーン１に加えてトーン２も送出し、変換装置２ともオンラインとなる。一方、変換装置１は変換装置２からのトーン１の送出を確認し、変換装置０に加えて変換装置２ともオンラインになる。
【００７８】
最後に、STEP9-2にて、変換装置２が変換装置０のトーン２を確認し変換装置０ともオンラインになり、変換装置１、変換装置２及び変換装置３の接続が完了する。
【００７９】
つまり、呼出用の送信機７０を１個追加し、受信機２２を必要なチャネル分だけ追加することで、どの変換装置１からも呼び出し可能な１対ｎの電話会議システムが構築可能である。そのため、受信機２２は、変換装置１の回線の数だけ用意する必要があるが、送信機は２個あればよく３個以上は必要としない。
【００８０】
（第３の実施の形態）
次に、本発明の第３の実施の形態について説明する。
【００８１】
上記第１及び第２の実施の形態では、一般家庭向け内線電話システムを例にとり説明したが、本発明は無線ＬＡＮシステムにも適用可能である。
【００８２】
第３の実施の形態は、図９に示すように、図１０に示す無線ＬＡＮシステムを組み込んだ一般家庭向け無線機器システムである。
【００８３】
上記第１の実施の形態では、変換装置１には電話機３が接続されているが、第３の実施の形態では、電話機３の代わりにパソコン９０がそれぞれ接続されている。また、図１のハイパスフィルタ９の代わりにノッチフィルタ（無線ＬＡＮのみ遮断）９１が設けられている。さらに、図１の電話外線４の代わりにルーター９２が設けられている。その他の構成は、図１に示す構成と同様なのでその説明は省略する。
【００８４】
また、図１０に示す無線ＬＡＮシステムの変換装置１は、無線ＬＡＮ通信モジュール１０１、ＬＡＮ−データ変換装置１０２、コントローラ１０３、電源部１０４を有する。また、ＬＡＮ−データ変換装置１０２はイーサネット（登録商標）ＬＡＮケーブル１０５を介してパソコン１０６に接続されている。さらに、変換装置１は、逆流防止ダイオード１０８を有し、ＡＣアダプタ１０７に接続されている。
【００８５】
このように、無線電話の替わりに無線ＬＡＮを接続することによりＰＬＣのようなクローズした通信環境をつくることができる。無線ＬＡＮの欠点として電波が弱い場所や外来電波、障害物により通信が切断されたり、通信速度が落ちる問題があるが、これを第３の実施の形態のシステムに接続することで無線の減衰や外来ノイズの影響を受けなくすることができる。
【００８６】
そして電波を発するシステムは盗聴されたり、妨害されたりする危険性があるが、これを有線にすることで盗聴や妨害の危険を無くすことができる。
【００８７】
以上、本発明の実施の形態について具体的に説明したが、本発明は上述の実施形態に限定されるものではなく、本発明技術的思想に基づく各種の変形が可能である。
【００８８】
例えば、本発明では、テレビジョン用アンテナ分配同軸線をつかった閉じた無線環境を提供するので、アンテナをつかって空中に電波を出す代わりに閉じた環境をつかって通信ができる。このため、有線になるという制限はあるが、電話や無線ＬＡＮ以外にブルーツースや、ワイヤレスプリンタ、ワイヤレスＵＳＢ等あらゆる無線機器に応用が可能である。
【符号の説明】
【００８９】
１  変換装置
２  スプリッタ
３  電話機
４  電話外線
５  分配器
６  アンテナ
７  混合器
８  増幅器
９  ハイパスフィルタ
１０  同軸ケーブル
１１  壁内配線
２１  送信機
２２  受信機
２３  プリアンプ
２４  送受信制御部
２５  電話機制御部
２６  電源部
２７  停電用バックアップ充電池
２８  ＡＣアダプタ
２９  逆流防止ダイオード
７０  送信機（呼出用）
９０  パソコン
９１  ノッチフィルタ
９２  ルーター
１０１  無線ＬＡＮ通信モジュール
１０２  ＬＡＮ−データ変換装置
１０３  コントローラ
１０４  電源部
１０５  イーサネットＬＡＮケーブル
１０６  パソコン
１０７  ＡＣアダプタ
１０８  逆流防止ダイオード
【図１】
0005557318.tif 000002
【図２】
0005557318.tif 000003
【図３】
0005557318.tif 000004
【図４】
0005557318.tif 000005
【図５】
0005557318.tif 000006
【図６】
0005557318.tif 000007
【図７】
0005557318.tif 000008
【図８】
0005557318.tif 000009
【図９】
0005557318.tif 000010
【図１０】
0005557318.tif 000011